(57)【要約】【課題】固体光源を用いたプロジェクターにおいて、被投射面上での色ムラを抑える。【解決手段】本発明のプロジェクター１は、第１の色光を射出する固体光源を含む第１の光源装置３０と、第１の光源装置からの光を画像情報に応じて変調して画像光を生成する光変調装置４００Ｒ，４００Ｇ，４００Ｂと、光変調装置の後段に設けられた位相差素子２０と、画像光を投射する投射光学系６００と、を備える。位相差素子２０の光学軸は、位相差素子に入射する第１の色光の光軸と直交する面に対して傾斜している。【選択図】図１
2017044766.tif 000002
【特許請求の範囲】
【請求項１】
第１の色光を射出する固体光源を含む第１の光源装置と、
前記第１の光源装置からの光を画像情報に応じて変調して画像光を生成する光変調装置と、
前記光変調装置の後段に設けられた位相差素子と、
前記画像光を投射する投射光学系と、を備え、
前記位相差素子の光学軸は、前記位相差素子に入射する前記第１の色光の光軸と直交する面に対して傾斜している、プロジェクター。
【請求項２】
前記位相差素子を透過した前記第１の色光は、第１の方向に偏光した第１偏光成分と、前記第１の方向と直交する第２の方向に偏光した第２偏光成分と、を含み、
前記位相差素子を透過した後の前記第１偏光成分と前記第２偏光成分との比率は、前記位相差素子に入射する前の前記第１偏光成分と前記第２偏光成分との比率よりも１に近い、請求項１に記載のプロジェクター。
【請求項３】
前記光学軸の前記面に対する傾斜角は、２０°以上、５５°以下である、請求項１または請求項２に記載のプロジェクター。
【請求項４】
前記第１の色光とは異なる第２の色光を射出する第２の光源装置を備え、
前記第２の色光は、第１の波長の成分と第２の波長の成分とを含み、
前記第１の波長をλ１とし、前記第２の波長をλ２とし、前記第１の波長に対する位相差をＲｅ（λ１）とし、前記第２の波長に対する位相差をＲｅ（λ２）としたとき、以下の式（１）を満足する、請求項１から請求項３までのいずれか一項に記載のプロジェクター。
Ｒｅ（λ１）−Ｒｅ（λ２）＞λ２／２  …（１）
【発明の詳細な説明】
【技術分野】
【０００１】
本発明は、プロジェクターに関する。
【背景技術】
【０００２】
下記の特許文献１には、光源からの光を変調するライトバルブと、ライトバルブにより変調された光を透過型スクリーンに投射する投射レンズと、透過型スクリーンに投射される光の偏光状態を擬似的に無偏光にする偏光変換部材と、を備えた投射型表示装置が開示されている。この投射型表示装置において、偏光変換部材を構成する位相板は、投射レンズの光射出側に設けられている。特許文献１には、投射レンズから射出された光が位相板により擬似的に無偏光状態となることによって、スクリーン上での色ムラが改善される、と記載されている。
【先行技術文献】
【特許文献】
【０００３】
【特許文献１】特開２００５−３２１５４４号公報
【発明の概要】
【発明が解決しようとする課題】
【０００４】
特許文献１の投射型表示装置では、光源として放電灯の使用を想定している。スクリーン上の色むらを改善する手法として、スペクトルの広い光を射出する放電灯を備えたプロジェクターに対しては、上記の技術が有効であったとしても、スペクトルの狭い光を射出するレーザー光源等の固体光源を備えたプロジェクターに対しては、上記の技術は有効ではない。
【０００５】
本発明の一つの態様は、上記の課題を解決するためになされたものであり、固体光源を用いたプロジェクターにおいて、被投射面上での色ムラを抑えることを目的の一つとする。
【課題を解決するための手段】
【０００６】
上記の目的を達成するために、本発明の一つの態様のプロジェクターは、第１の色光を射出する固体光源を含む第１の光源装置と、前記第１の光源装置からの光を画像情報に応じて変調して画像光を生成する光変調装置と、前記光変調装置の後段に設けられた位相差素子と、前記画像光を投射する投射光学系と、を備え、前記位相差素子の光学軸は、前記位相差素子に入射する前記第１の色光の光軸と直交する面に対して傾斜している。
【０００７】
プロジェクターにおいて、画像光はある程度発散する光からなっている。本発明の一つの態様のプロジェクターにおいては、光変調装置の後段に設けられた位相差素子の光学軸が、位相差素子に入射する第１の色光の光軸と直交する面に対して傾斜している。そのため、光学軸が前記面に対して傾斜していない場合に比べて、位相差素子通過後の光の偏光状態の入射角依存性が大きい。したがって、例えば一定の方向に偏光した偏光成分を位相差素子に入射させた場合、入射角に応じて異なる偏光状態の複数の偏光成分が混在した光が位相差素子から射出され、被投射面上に結像される。これにより、被投射面上での色ムラを低減することができる。
【０００８】
本発明の一つの態様のプロジェクターにおいて、前記位相差素子を透過した前記第１の色光は、第１の方向に偏光した第１偏光成分と、前記第１の方向と直交する第２の方向に偏光した第２偏光成分と、を含み、前記位相差素子を透過した後の前記第１偏光成分と前記第２偏光成分との比率は、前記位相差素子に入射する前の前記第１偏光成分と前記第２偏光成分との比率よりも１に近い構成であってもよい。
この構成によれば、位相差素子を通過した後の第１の色光は、位相差素子を通過する前に比べて、第１偏光成分と第２偏光成分とが１に近い比率で混在した状態となる。これにより、被投射面上での色ムラを効果的に低減することができる。
【０００９】
本発明の一つの態様のプロジェクターにおいて、前記光学軸の前記面に対する傾斜角は、２０°以上、５５°以下であることが望ましい。
この構成によれば、色ムラを実用上充分なレベルまで低減することができる。
【００１０】
本発明の一つの態様のプロジェクターは、前記第１の色光とは異なる第２の色光を射出する第２の光源装置をさらに備え、前記第２の色光は、第１の波長の成分と第２の波長の成分とを含み、前記第１の波長をλ１とし、前記第２の波長をλ２とし、前記第１の波長に対する位相差をＲｅ（λ１）とし、前記第２の波長に対する位相差をＲｅ（λ２）としたとき、以下の式（１）を満足するようにしてもよい。
Ｒｅ（λ１）−Ｒｅ（λ２）＞λ２／２  …（１）
この構成によれば、式（１）を満足しない場合に比べて、位相差素子の位相差の波長依存性が大きくなる。これにより、異なる波長にわたって様々な偏光状態が混在した光が位相差素子から射出されるため、被投射面上での色ムラをより効果的に低減することができる。
【図面の簡単な説明】
【００１１】
【図１】本発明の一実施形態のプロジェクターの概略構成図である。
【図２】位相差素子の光学軸の配置を示す図である。
【図３】シミュレーションのモデルを示す図である。
【図４】従来の位相差素子を用いた場合の光の偏光状態のシミュレーション結果を示す図である。
【図５】本実施形態の位相差素子を用いた場合の光の偏光状態のシミュレーション結果を示す図である。
【図６】光学軸の傾斜角と色ムラとの関係を示すグラフである。
【図７】ランプを用いた場合の位相差素子通過後のＳ偏光成分およびＰ偏光成分の光量の波長依存性を示す図である。
【図８】レーザー光源を用いた場合の位相差素子通過後のＳ偏光成分およびＰ偏光成分の光量の波長依存性を示す図である。
【発明を実施するための形態】
【００１２】
以下、本発明の一実施形態について、図１〜図８を用いて説明する。
本実施形態のプロジェクターは、３つの液晶ライトバルブからなる光変調装置を備えた液晶プロジェクターの例である。
なお、以下の各図面においては各構成要素を見やすくするため、構成要素によって寸法の縮尺を異ならせて示すことがある。
以下の図面を用いた説明においては、ＸＹＺ直交座標系を設定し、ＸＹＺ直交座標系を参照しつつ各部材について説明する。
照明光軸１００ａｘは、照明装置１００から色分離導光光学系２００に向けて射出される光の光軸とする。照明光軸１００ａｘと平行な方向をＹ軸とする。
【００１３】
図１に示すように、プロジェクター１は、照明装置１００と、色分離導光光学系２００と、光変調装置４００Ｒと、光変調装置４００Ｇと、光変調装置４００Ｂと、クロスダイクロイックプリズム５００と、投射光学系６００と、を備える。
【００１４】
照明装置１００は、第１の光源装置３０と、集光光学系４０と、第２の光源装置１０と、コリメート光学系６０と、インテグレーター光学系１１０と、偏光変換素子１２０と、重畳レンズ１３０と、がこの順に配置された構成を有する。
【００１５】
第１の光源装置３０は、後述する第２の光源装置１０の蛍光体層１１を励起させるための励起光を射出する。第１の光源装置３０は、複数のレーザー光源３１から構成される。レーザー光源３１は、励起光として、所定の波長域を有する青色光ＢＬを射出する。青色光ＢＬの強度のピーク波長は、例えば４４５ｎｍである。
【００１６】
第１の光源装置３０は、複数のレーザー光源３１を備える構成であってもよいし、一つのレーザー光源３１を備える構成であってもよい。後述する蛍光体層１１を励起させることができる波長の光であれば、４４５ｎｍ以外の強度ピーク波長を有する色光を射出するレーザー光源であってもよい。
本実施形態のレーザー光源３１は、特許請求の範囲の固体光源に対応する。本実施形態の青色光ＢＬは、特許請求の範囲の第１の色光に対応する。
【００１７】
集光光学系４０は、複数の第１レンズ４２と、１つの第２レンズ４４と、を備えている。一つの第１レンズ４２は、一つのレーザー光源３１に対応して設けられている。第１レンズ４２および第２レンズ４４は、ともに凸レンズで構成される。レーザー光源３１から射出された光は、第１レンズ４２を透過する。複数の第１レンズ４２を透過した複数の光は、第２レンズ４４を透過する。集光光学系４０は、第１の光源装置３０から射出される青色光ＢＬの光軸上に配置され、複数のレーザー光源３１から射出された青色光ＢＬを蛍光体層１１に向けて集光する。
【００１８】
第２の光源装置１０は、蛍光体ホイールから構成されている。蛍光体ホイールは、第１の光源装置３０から射出された青色光ＢＬの一部を透過させ、残りの青色光ＢＬを黄色の蛍光に変換する機能を有する。蛍光体ホイールは、蛍光体層１１を備える。蛍光体層１１は、上記残りの青色光ＢＬを吸収し、赤色光および緑色光を含む黄色の蛍光ＹＬを射出する。蛍光ＹＬの強度のピーク波長は、例えば５５０ｎｍである。蛍光体層１１を透過した青色光ＢＬ１と、蛍光体層１１で発生した黄色の蛍光ＹＬと、が合成されることによって、第２の光源装置１０から白色の照明光ＷＬが射出される。
本実施形態の黄色の蛍光ＹＬは、特許請求の範囲の第２の色光に対応する。
【００１９】
コリメート光学系６０は、第１レンズ６２と、第２レンズ６４と、を備える。第１レンズ６２は、第２の光源装置１０から射出される照明光ＷＬの広がりを抑える。第２レンズ６４は、第１レンズ６２から入射される光を略平行化する。第１レンズ６２は、第２の光源装置１０に近接した位置に配置され、第２の光源装置１０から射出された照明光ＷＬを取り込む。コリメート光学系６０は、第２の光源装置１０から射出された照明光ＷＬを略平行化して、インテグレーター光学系１１０に入射させる。
【００２０】
インテグレーター光学系１１０は、第１レンズアレイ１１１と、第２レンズアレイ１１２と、を備える。第１レンズアレイ１１１は、マトリクス状に配置された複数のレンズを備える。第２レンズアレイ１１２は、第１レンズアレイ１１１の複数のレンズに対応し、マトリクス状に配置された複数のレンズを備える。第１レンズアレイ１１１は、コリメート光学系６０からの照明光ＷＬを複数の光束に分割する。第２レンズアレイ１１２は、第１レンズアレイ１１１から射出された光束を所定の発散角で射出する。
【００２１】
偏光変換素子１２０は、偏光ビームスプリッター（ＰＢＳ）と、ミラーと、位相差板を備える。偏光変換素子１２０は、非偏光を一方向に偏光した直線偏光に変換する。
【００２２】
重畳レンズ１３０は、偏光変換素子１２０から射出された複数の光束を、光変調装置４００Ｒ、光変調装置４００Ｇ、および光変調装置４００Ｂの各々の被照明領域において互いに重畳させる。
【００２３】
色分離導光光学系２００は、ダイクロイックミラー２１０と、ダイクロイックミラー２２０と、反射ミラー２３０と、反射ミラー２４０と、反射ミラー２５０と、リレーレンズ２６０と、リレーレンズ２７０と、を備える。色分離導光光学系２００は、照明装置１００からの光を赤色光Ｒと緑色光Ｇと青色光Ｂとに分離し、赤色光Ｒ、緑色光Ｇおよび青色光Ｂの各色光をそれぞれの照明対象である光変調装置４００Ｒ、光変調装置４００Ｇ、および光変調装置４００Ｂに導く。色分離導光光学系２００と光変調装置４００Ｒとの間、色分離導光光学系２００と光変調装置４００Ｇとの間、および色分離導光光学系２００と光変調装置４００Ｂとの間に、集光レンズ３００Ｒ、集光レンズ３００Ｇ、集光レンズ３００Ｂがそれぞれ配置されている。
【００２４】
ダイクロイックミラー２１０は、赤色光Ｒを透過し、緑色光Ｇおよび青色光Ｂを反射する。ダイクロイックミラー２２０は、ダイクロイックミラー２１０で反射した緑色光Ｇおよび青色光Ｂのうち、緑色光Ｇを反射して、青色光Ｂを透過させる。
【００２５】
反射ミラー２３０は、ダイクロイックミラー２１０を透過した赤色光Ｒを反射する。反射ミラー２４０および反射ミラー２５０は、ダイクロイックミラー２２０を透過した青色光Ｂを反射する。
【００２６】
ダイクロイックミラー２１０を透過した赤色光Ｒは、反射ミラー２３０で反射され、集光レンズ３００Ｒを透過して赤色光用の光変調装置４００Ｒの画像形成領域に入射する。ダイクロイックミラー２１０で反射された緑色光Ｇは、ダイクロイックミラー２２０でさらに反射され、集光レンズ３００Ｇを透過して緑色光用の光変調装置４００Ｇの画像形成領域に入射する。ダイクロイックミラー２２０を透過した青色光Ｂは、リレーレンズ２６０、反射ミラー２４０、リレーレンズ２７０、反射ミラー２５０、集光レンズ３００Ｂを経て青色光用の光変調装置４００Ｂの画像形成領域に入射する。
【００２７】
光変調装置４００Ｒ、光変調装置４００Ｇおよび光変調装置４００Ｂは、入射された色光を画像情報に応じて変調して、それぞれ、赤色光Ｒに対応した画像光、緑色光Ｇに対応した画像光、青色光Ｂに対応した画像光を形成する。光変調装置４００Ｒ、光変調装置４００Ｇおよび光変調装置４００Ｂは、照明装置１００の照明対象である。
【００２８】
例えば、光変調装置４００Ｒ、光変調装置４００Ｇおよび光変調装置４００Ｂの各々は、一対の透明基板間に液晶を封入した透過型の液晶パネルで構成される。液晶パネルの入射側および射出側には、一対の偏光板（図示せず）が配置されている。
クロスダイクロイックプリズム５００は、赤色光Ｒに対応した画像光、緑色光Ｇに対応した画像光、および青色光Ｂに対応した画像光を合成する光学素子である。
【００２９】
クロスダイクロイックプリズム５００によって合成された画像光は、投射光学系６００によって拡大投射され、スクリーンＳＣＲ上で画像を形成する。
投射光学系６００は、複数のレンズから構成されている。
【００３０】
位相差素子２０は、光変調装置４００Ｒ、光変調装置４００Ｇおよび光変調装置４００Ｂの後段に設けられている。具体的には、位相差素子２０は、クロスダイクロイックプリズム５００と投射光学系６００との間に設けられている。位相差素子２０は、例えば水晶、サファイア等の複屈折材料の板体から構成されている。
【００３１】
第２の光源装置１０から射出される黄色の蛍光ＹＬのスペクトルにおいて、任意の第１の波長をλ１とし、第１の波長と異なる任意の第２の波長をλ２とし、第１の波長に対する位相差素子２０の位相差をＲｅ（λ１）とし、第２の波長に対する位相差素子２０の位相差をＲｅ（λ２）とする。このとき、位相差素子２０は以下の式（１）を満足することが望ましい。
Ｒｅ（λ１）−Ｒｅ（λ２）＞λ２／２  …（１）
【００３２】
図２に示すように、位相差素子２０の光学軸Ｆは、位相差素子２０へ入射する直前の青色光Ｂの光軸ＡＸ１と直交する面Ｈに対して傾斜している。なお、光軸ＡＸ１はＹ軸と平行である。位相差素子２０の光入射端面２０ａと光射出端面２０ｂは、光軸ＡＸ１と直交している。位相差素子の光学軸Ｆの方位角は、位相差素子２０へ入射する直前の青色光Ｂの偏光方向を基準として、４５°である。なお、方位角は、光軸ＡＸ１の方向から見た光学軸Ｆの角度である。
【００３３】
一般に、画像光が投射されるスクリーンの散乱特性は偏光依存性を有している。そのため、例えば青色光Ｂの偏光状態が特定の偏光状態に偏っていると、画像に色ムラが生じる場合がある。そこで、位相差素子を用いて青色光Ｂの偏光状態を乱し、青色光Ｂを様々な偏光成分が混在した光とすることにより、色ムラを改善する手法が考えられてきた。他の色光についても同様である。例えば水晶等、比較的大きい位相差を有する位相差素子を色合成後の光路上に配置すると、図７に示すように、位相差素子の波長依存性により、画像光に含まれるＳ偏光成分の光量（符号Ｓで示す）とＰ偏光成分の光量（符号Ｐで示す）との比率は、波長に応じて変化する。これにより、各色光をＳ偏光成分とＰ偏光成分とが混在した光とすることができる。
【００３４】
しかしながら、この手法は、青色光Ｂ、赤色光Ｒ、緑色光Ｇの各スペクトルが、ある程度広がった分布を持つことが前提である。そのため、図８に示したように、青色光Ｂがスペクトルの狭いレーザー光である場合、青色光Ｂは例えばＰ偏光成分の光量（符号Ｐで示す）に対してＳ偏光成分の光量（符号Ｓで示す）が圧倒的に多くなる場合がある。この場合、色ムラが生じる。位相差素子の位相差値を精度良く制御すれば、レーザー光からなる青色光Ｂにおいても、Ｐ偏光成分の光量をＳ偏光成分の光量に近づけることができる。ところが、この場合、レーザーの波長バラツキ、水晶の厚みバラツキ等に要求される公差が非常に厳しくなり、プロジェクターの量産性が低下する。
【００３５】
本実施形態の場合、図２に示すように、位相差素子２０の光学軸Ｆが、位相差素子２０に入射する直前の青色光Ｂの光軸ＡＸ１と直交する面に対して傾斜しているため、光の入射角の違いによる位相差の変化量を大きくすることができる。青色光Ｂ（画像光）はある程度発散する光からなっているため、位相差素子２０を透過した光を様々な偏光成分が混在した光とすることができ、プロジェクターの量産性を低下させることなく、色ムラを改善することができる。
【００３６】
一般に、プロジェクターの光変調装置から射出される光は、例えば５°〜１０°程度の角度分布を持っている。ここで、便宜上、位相差素子２０の光学軸ＦがＸＹ面と平行であるとする。また、ＸＹ面と平行に位相差素子２０へ入射する光を考える。光が位相差素子２０を透過することによって与えられる位相差は光の入射方向に依存する。光学軸ＦがＸ軸と平行な場合、位相差は、ＸＹ面においてＹ軸方向を中心として対称である。しかし、光学軸ＦがＸ軸から角度θだけ傾いている場合、位相差の対象中心はＹ軸からθだけ傾き、位相差はＹ軸方向に対して非対称となる。そのため、位相差の入射方向依存性は、光学軸ＦがＸ軸と平行な場合よりも光学軸ＦがＸ軸と平行でない場合の方が大きい。
【００３７】
本発明者は、位相差素子による光の偏光状態の変化と位相差素子の光学軸の傾斜角度との関係をシミュレーションによって調べた。シミュレーションのモデルを図３に示す。
図３に示すように、位相差素子２０として、厚さｔが０．９９２ｍｍの水晶板を用いた。偏光方向がＸ軸に平行なＰ偏光成分ＬＰのみからなる光を、その光軸が、ＸＹ面と平行な面においてＹ軸と−１０°〜＋１０°の範囲の角θｘをなし、ＹＺ面と平行な面においてＹ軸と−１０°〜＋１０°の範囲の角θｚをなすように位相差素子２０に入射させた。そして、位相差素子２０を透過した後の光軸ＡＸ１に垂直な平面Ｐ上での偏光成分の分布を計算により求めた。
【００３８】
実施例として、光軸ＡＸ１に垂直な平面Ｈに対する光学軸Ｆの傾斜角度θが２０°の位相差素子を用いた。比較例として、傾斜角度θが０°の位相差素子を用いた。
【００３９】
図４は、比較例の偏光状態の分布を示す。図５は、実施例の偏光状態の分布を示す。図４、図５ともに、縦軸はＸＹ面と平行な面における入射角（°）（角θｘ）であり、横軸はＹＺ面と平行な面における入射角（°）（角θｚ）である。図中の横方向の線分ＭＳは、Ｚ軸方向に偏光しているＳ偏光成分ＬＳを表し、図中の縦方向の線分ＭＰは、Ｘ軸方向に偏光しているＰ偏光成分ＬＰを表している。また、線分ＭＳの長さはＳ偏光成分ＬＳの強度を表し、線分ＭＰの長さはＰ偏光成分ＬＰの強度を表している。長さゼロの線分ＭＳもしくは線分ＭＰは、強度がゼロであることを意味する。
【００４０】
図４に示すように、比較例の場合、Ｘ軸方向、Ｚ軸方向ともに入射角が±１０°の近傍で、Ｐ偏光成分ＬＰおよびＳ偏光成分ＬＳが混在している箇所がわずかに認められるが、残りの多くの領域ではＰ偏光成分ＬＰのみが存在している。すなわち、光が位相差素子を透過した後も、光全体としてＰ偏光成分ＬＰに大きく偏ったままであり、光全体として偏光状態がそれ程変化していない。
【００４１】
これに対して、図５に示すように、実施例の場合、Ｐ偏光成分ＬＰおよびＳ偏光成分ＬＳが混在している光が得られる領域が比較例に比べて多い。位相差素子に入射する前の光におけるＰ偏光成分のＳ偏光成分に対する比率は無限大であるが、位相差素子を透過した後の光全体としての当該比率は有限の値を持ち、比較例よりも１に近い。
【００４２】
また、本発明者は、位相差素子の光学軸の傾斜角度と色ムラとの関係を検証するシミュレーションを行った。光学軸の傾斜角度θを０°〜９０°の範囲内で変化させ、各傾斜角度θにおけるΔｕ’ｖ’を計算により求めた。Δｕ’ｖ’は、色度図上の黒体軌跡からの偏差であり、色ムラの程度を示す指標である。Δｕ’ｖ’の値が大きい程、色ムラの程度が大きく、Δｕ’ｖ’の値が小さい程、色ムラの程度が小さい。位相差素子の厚さは０．９９２ｍｍ、１ｍｍの２種類で計算を行った。
【００４３】
図６は、位相差素子の光学軸の傾斜角度とΔｕ’ｖ’との関係を示すグラフである。図６の横軸は、位相差素子の光学軸の傾斜角度（°）である。図６の縦軸は、Δｕ’ｖ’である。
図６に示すように、位相差素子の厚さが０．９９２ｍｍの場合と位相差素子の厚さが１ｍｍの場合とで、Δｕ’ｖ’の値はほとんど変わらない。一般に、Δｕ’ｖ’の値が０．００２未満になると、実用上色ムラがほとんど視認されなくなると言われている。したがって、図６のグラフから、色ムラを改善するためには位相差素子の光学軸の傾斜角度を２０°〜５５°の範囲とすることが望ましい。
【００４４】
以上説明したように、本実施形態のプロジェクター１は、位相差素子２０へ入射する直前の青色光Ｂの光軸ＡＸ１と直交する面Ｈに対して傾斜した光学軸Ｆを有する位相差素子２０を備えている。そのため、位相差素子２０を透過した青色光Ｂは様々な偏光成分を含んでいる。さらに、位相差素子２０が上記の式（１）を満足する場合には偏光状態の波長依存性が充分大きいため、赤色光Ｒおよび緑色光Ｇも様々な偏光成分を含んでいる。これらの作用により、スクリーンの偏光依存性に伴う画像の色ムラが低減されたプロジェクターを実現できる。
【００４５】
なお、本発明の技術範囲は上記実施形態に限定されるものではなく、本発明の趣旨を逸脱しない範囲において種々の変更を加えることが可能である。
例えば上記実施形態では、位相差素子がクロスダイクロイックプリズムの後段に設けられた例を示したが、位相差素子は光変調装置の後段に設けられていればよい。例えば位相差素子が光変調装置とクロスダイクロイックプリズムとの間に設けられていてもよい。その場合、最もスペクトルが狭い色光を変調する光変調装置とクロスダイクロイックプリズムとの間に設けることが好ましい。
【００４６】
上記実施形態では、透過型光変調装置を備えたプロジェクターに本発明を適用した例について説明したが、本発明は、反射型光変調装置を備えたプロジェクターに適用することも可能である。光変調装置は、液晶ライトバルブ等に限られず、例えばマイクロミラーを用いた光変調装置であってもよい。また、上記実施形態では、３つの液晶ライトバルブを用いたプロジェクターの例を挙げたが、本発明は、１つの液晶ライトバルブのみを用いたプロジェクター、４つ以上の液晶ライトバルブを用いたプロジェクターにも適用可能である。その他、プロジェクターの各構成要素の形状、寸法、数、配置、材料等に関しては、適宜変更が可能である。
【符号の説明】
【００４７】
１…プロジェクター、２０…位相差素子、３０…第１の光源装置、３１…レーザー光源（固体光源）、４００Ｂ，４００Ｇ，４００Ｒ…光変調装置、６００…投射光学系。
【図１】
2017044766.tif 000003
【図２】
2017044766.tif 000004
【図３】
2017044766.tif 000005
【図４】
2017044766.tif 000006
【図５】
2017044766.tif 000007
【図６】
2017044766.tif 000008
【図７】
2017044766.tif 000009
【図８】
2017044766.tif 000010